【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
物品であって、
第１の位置と第２の位置との間で移動可能である可撓性ディスプレイであって、前記可撓性ディスプレイは、中立面を有する、可撓性ディスプレイと、
前記可撓性ディスプレイに結合され、前記可撓性ディスプレイの局所屈曲を制限するように構成される可撓性支持体であって、前記可撓性支持体は、複数の相互接続された支持構造、および、前記第１の位置と前記第２の位置との間の前記可撓性ディスプレイの移動を促進するように構成される複数のヒンジ点を備え、前記複数の相互接続された支持構造は、相互に対して移動可能であり、前記複数のヒンジ点は、前記複数の相互接続された支持構造間の移動によって画定され、前記複数のヒンジ点は、前記中立面に近接する１つまたは複数の屈曲平面を前記物品が有するように、前記可撓性ディスプレイの前記中立面に近接して位置付けられる、可撓性支持体と、
前記可撓性支持体と前記可撓性ディスプレイとの間に結合される内層であって、前記内層は、前記可撓性ディスプレイが前記第１の位置と前記第２の位置との間で移動されるとき、前記可撓性ディスプレイに支持を提供する、内層と
を備える、物品。
【請求項２】
前記複数のヒンジ点は、実質的に、前記可撓性ディスプレイの前記中立面に沿って位置する、請求項１に記載の物品。
【請求項３】
前記複数のヒンジ点は、前記可撓性支持体の上部側または底部側内に形成される複数の溝によって画定され、前記複数の溝はそれぞれ、外向きまたは内向き方向における前記可撓性ディスプレイの対応する部分の屈曲を制限するように構成される、請求項１または請求項２に記載の物品。
【請求項４】
複数の支持区分が、前記複数の溝によって画定され、前記複数の溝はそれぞれ、その溝に隣接する支持区分間の屈曲を制限するように構成され、前記可撓性ディスプレイが前記第２の位置にあるとき、前記隣接する支持区分の一部は、相互に接触し、実質的に、その間の個別の溝に近接するように構成され、それによって、前記可撓性ディスプレイのさらなる屈曲を防止する、請求項３に記載の物品。
【請求項５】
各対の隣接する支持区分は、前記支持区分の第１のもの内に形成されるスロットと、前記支持区分の第２のものから延在し、前記スロット内に移動可能に配置される対応する停止タブとを備え、各スロットは、隣接する第１の支持区分および第２の支持区分間の屈曲の量を制限するように構成される、請求項４に記載の物品。
【請求項６】
各スロットは、第１の停止表面と、前記第１の停止表面と対向する第２の停止表面とを画定し、各第１の停止表面は、外向き方向における前記可撓性ディスプレイの屈曲を制限するように配列され、各第２の停止表面は、内向き方向における前記可撓性ディスプレイの屈曲を制限するように配列される、請求項５に記載の物品。
【請求項７】
前記複数の支持区分は、相互に摺動可能に接続される複数のリンクを備える、請求項１または請求項２に記載の物品。
【請求項８】
前記複数のリンクはそれぞれ、
基部と、
前記基部から上向きに延在する少なくとも１つの突起であって、前記少なくとも１つの突起は、隣接する個別のリンクの一部に互いに干渉して接触し、隣接するリンク間の屈曲を制限するように構成される、少なくとも１つの突起と
を備える、請求項７に記載の物品。
【請求項９】
前記複数のリンクはそれぞれ、
第１の端部と、前記第１の端部に対向する第２の端部とを有する基部と、
前記第１の端部に近接して前記基部から下向きに延在する一対のタブであって、前記タブは、それぞれ、前記第１の端部に隣接する第１の個別のリンクの一部内に配置されるように構成される、タブと、
前記第１の端部に近接して前記基部から上向きに延在する一対の突起であって、前記一対の突起は、隣接するリンク間の屈曲を制限するように、前記第２の端部に隣接する第２の個別のリンクの一部に互いに干渉して係合するように構成される、突起と
を備える、請求項７に記載の物品。
【請求項１０】
前記複数のリンクはそれぞれ、第１の端部と、前記第１の端部に対向する第２の端部と、前記第１の端部に近接して形成される第１の対のスロットと、前記第２の端部に近接して形成される第２の対のスロットとを含み、前記第１の対のスロットおよび前記第２の対のスロットは、隣接するリンク間の屈曲を制限するように構成される、請求項７に記載の物品。
【請求項１１】
各第１の対のスロットは、第１のピンガイド経路を画定し、前記第１のピンガイド経路は、前記可撓性ディスプレイの第１の位置に対応する第１のスロット位置と、前記可撓性ディスプレイの第２の位置に対応する第２のスロット位置とを有し、各第２の対のスロットは、第２のピンガイド経路を画定し、前記第２のピンガイド経路は、前記可撓性ディスプレイの第１の位置に対応する第３のスロット位置と、前記可撓性ディスプレイの第２の位置に対応する第４のスロット位置とを有する、請求項１０に記載の物品。
【請求項１２】
第１の個別のピンが、各第１の対のスロットの第１のガイド経路内に配置され、前記第１の個別のピンは、その第１のガイド経路の前記第１のスロット位置と前記第２のスロット位置との間で摺動可能であり、第２の個別のピンが、前記各第２の対のスロットの第２のガイド経路内に配置され、前記第２の個別のピンは、その第２のガイド経路の前記第３のスロット位置と前記第４のスロット位置との間で摺動可能である、請求項１１に記載の物品。
【請求項１３】
第１の対のピンが、第１のリンクの第１の対のスロットを第２のリンクの第２の対のスロットに摺動可能かつ枢動可能に接続し、第２の対のピンが、前記第１のリンクの第２の対のスロットを第３のリンクの第１の対のスロットに摺動可能かつ枢動可能に接続する、請求項１０に記載の物品。
【請求項１４】
前記第１の対のスロットの１つは、前記第２の対のスロットの１つに対して角度付けられる、請求項１０に記載の物品。
【請求項１５】
前記複数のリンクの各リンクは、第１の筐体部分と、前記第１の筐体部分に可撤性に結合される第２の筐体部分とを備える、請求項７に記載の物品。
【請求項１６】
前記第１の筐体部分は、複数のタブを備え、前記第２の筐体部分は、前記複数のタブを受容し、前記第２の筐体部分を前記第１の筐体部分に結合するように定寸される、複数の溝を備える、請求項１５に記載の物品。
【請求項１７】
前記複数のリンクはそれぞれ、
基部と、
前記基部から上向きに延在する一対の側壁と、
前記側壁のそれぞれ内に形成されるスロットと、
前記側壁のそれぞれから外向きに延在し、隣接するリンク間の屈曲を制限するように、個別の隣接するリンクのスロット内に移動可能に配置される、タブと
を備える、請求項７に記載の物品。
【請求項１８】
各側壁は、第１の部分と、第２の部分と、前記第１の部分と前記第２の部分との間に配置される遷移部分とを有し、前記複数のリンクはそれぞれ、前記２つの第１の部分内に形成される第１の対の開口と、前記２つの第２の部分内に形成される第２の対の開口とを備え、前記第１の対の開口は、個別の第２の隣接するリンクの第２の対の開口と整合され、前記第２の対の開口は、個別の第３の隣接するリンクの第１の対の開口と整合される、請求項１７に記載の物品。
【請求項１９】
各スロットは、第１の停止表面と、前記第１の停止表面と対向する第２の停止表面とを画定し、各第１の停止表面は、内向き方向における前記可撓性ディスプレイの屈曲を制限するように配列され、各第２の停止表面は、外向き方向における前記可撓性ディスプレイの屈曲を制限するように配列される、請求項１７に記載の物品。
【請求項２０】
前記複数のリンクはそれぞれ、第１の端部と、前記第１の端部に対向する第２の端部と、前記第１の端部に近接して形成される第１のスロットと、前記第２の端部に近接して形成される第２のスロットと、第１のピンと、第２のピンとを含み、第１のリンクの第１のピンは、第２のリンクの第２のスロット内に配置され、前記第２のリンクの第２のピンは、前記第１のリンクの第１のスロット内に配置され、前記第１のリンクの第２のピンは、第３のリンクの第１のスロット内に配置され、前記第３のリンクの第１のピンは、前記第１のリンクの第２のスロット内に配置される、請求項７に記載の物品。
【請求項２１】
前記複数の支持構造はそれぞれ、実質的に剛性を有する、請求項１または請求項２に記載の物品。
【請求項２２】
第１の位置と第２の位置との間で移動可能である可撓性ディスプレイであって、前記可撓性ディスプレイは、中立面を有する、可撓性ディスプレイと、
前記可撓性ディスプレイに結合され、前記可撓性ディスプレイの局所屈曲を制限するように構成される可撓性支持体であって、前記可撓性支持体は、複数のリンクと、前記複数のリンクによって画定される複数のヒンジ点とを備え、前記複数のリンクはそれぞれ、第１の端部と、前記第１の端部に対向する第２の端部と、前記第１の端部に近接して形成される第１の対のスロットと、前記第２の端部に近接して形成される第２の対のスロットとを含み、前記第１の対のスロットおよび前記第２の対のスロットは、隣接するリンク間の屈曲を制限するように構成される、可撓性支持体と
を備える物品であって、
前記物品は、前記ヒンジ点によって画定される１つまたは複数の屈曲平面を有し、前記屈曲平面は、前記可撓性ディスプレイの前記中立面に近接する、物品。
【請求項２３】
各第１の対のスロットは、第１のピンガイド経路を画定し、前記第１のピンガイド経路は、前記可撓性ディスプレイの前記第１の位置に対応する第１のスロット位置と、前記可撓性ディスプレイの前記第２の位置に対応する第２のスロット位置とを有し、各第２の対のスロットは、第２のピンガイド経路を画定し、前記第２のピンガイド経路は、前記可撓性ディスプレイの前記第１の位置に対応する第３のスロット位置と、前記可撓性ディスプレイの前記第２の位置に対応する第４のスロット位置とを有する、請求項２２に記載の物品。
【請求項２４】
第１の個別のピンが、各第１の対のスロットの第１のガイド経路内に配置され、前記第１の個別のピンは、その第１のガイド経路の第１のスロット位置および第２のスロット位置の間で摺動可能であり、第２の個別のピンが、各第２の対のスロットの第２のガイド経路内に配置され、前記第２の個別のピンは、その第２のガイド経路の第３のスロット位置および第４のスロット位置の間で摺動可能である、請求項２２に記載の物品。
【請求項２５】
第１の対のピンが、第１のリンクの第１の対のスロットを第２のリンクの第２の対のスロットに摺動可能かつ枢動可能に接続し、第２の対のピンが、第１のリンクの第２の対のスロットを第３のリンクの第１の対のスロットに摺動可能かつ枢動可能に接続する、請求項２２に記載の物品。
【請求項２６】
第１の位置と第２の位置との間で移動可能である可撓性ディスプレイと、
前記可撓性ディスプレイに結合され、前記可撓性ディスプレイの局所屈曲を制限するように構成される可撓性支持体であって、前記可撓性支持体は、複数の相互接続された支持構造、および、前記第１の位置と前記第２の位置との間の前記可撓性ディスプレイの移動を促進するように構成される複数のヒンジ点を備え、前記複数の相互接続された支持構造は、相互に対して移動可能であり、前記複数のヒンジ点は、前記複数の相互接続された支持構造間の移動によって画定され、前記複数のヒンジ点は、前記可撓性ディスプレイの中立面に実質的に近接して位置付けられる、可撓性支持体と
を備える物品であって、
前記複数のヒンジ点は、前記可撓性ディスプレイが前記第１の位置と前記第２の位置との間で移動されるとき、前記物品が所望の屈曲範囲を有するように、前記可撓性支持体に対して移動可能である、物品。
【請求項２７】
前記可撓性ディスプレイは、複数の固定点において前記可撓性支持体に局所的に結合され、前記可撓性ディスプレイは、前記第１の位置と前記第２の位置との間で移動されるとき、前記固定点間を前記可撓性支持体に対して自由に移動可能である、請求項２６に記載の物品。
【請求項２８】
前記可撓性ディスプレイが前記第１の位置にあるとき、および、前記可撓性ディスプレイが前記第２の位置にあるとき、連続曲線が、前記複数のヒンジ点によって画定される、請求項２６に記載の物品。
【請求項２９】
前記物品は、前記物品の２つの異なる部分を互いに接続するように前記物品の一端または両端に近接して配置される接続機構をさらに備える、請求項２６に記載の物品。